(57)【要約】  左側電子部品収納部（１６）の左側ヒンジ部（８）側にはＦＰＣ（２４）を左側電子部品収納部（１６）内へ挿入するための左側ＦＰＣ収納口（１６Ａ）が設けられている。ＦＰＣ（２４）とバッテリー部（２０）の接続部である左側コネクタ部（２５）の近傍にはバッテリー部（２０）へ水分や埃等の侵入を防ぐＰＯＲＯＮ（登録商標）等からなる左側防水部材（２６）が組み込まれている。右側電子部品収納部（１９）のヒンジ部（９）側にはＦＰＣ（２４）を右側電子部品収納部（１９）内へ挿入するための右側ＦＰＣ収納口（１９Ａ）が設けられている。ＦＰＣ（２４）と電気回路部（２１）の接続部である右側コネクタ部（２７）の近傍には電気回路部（２１）へ水分や埃等の侵入を防ぐＰＯＲＯＮ（登録商標）等からなる右側防水部材（２８）が組み込まれている。
2016194849.tif 000002
【特許請求の範囲】
【請求項１】
眼鏡フレームのモダン部に電子回路部品が収納されるとともに前記眼鏡フレームのブリッジ部に人体の鼻に接触して眼電位を検出する人体特性検出装置が取付けられた眼鏡型電子機器であって、  前記電子回路部品と前記人体特性検出装置は前記眼鏡フレームのテンプル部内に前記モダン部と連なるように設けられた第１の導体収納部に収納されるとともに前記眼鏡フレームのリム部内に前記ブリッジ部と連なるように設けられた第２の導体収納部に前記眼鏡フレームのヒンジ部を介して収納された導体によって電気的に接続され、  前記第１の導体収納部内に前記電子回路部品への水分や埃等の侵入を防ぐ第１の防水部材が組み込まれるとともに前記第２の導体収納部内に前記人体特性検出装置への水や埃等の侵入を防ぐ第２の防水部材が組み込まれている眼鏡型電子機器。
【請求項２】
前記第１の防水部材は前記第１の導体収納部における前記導体と前記電子回路部品の接続部の近傍に組み込まれるとともに前記第２の防水部材は前記第２の導体収納部における前記導体と前記人体特性検出装置の接続部の近傍に組み込まれている請求項１に記載の眼鏡型電子機器。
【請求項３】
前記導体はフレキシブルプリント基板により構成されている請求項１または請求項２に記載の眼鏡型電子機器。
【請求項４】
前記フレキシブルプリント基板の一端部はコネクタ部を介して前記電子回路部品に接続されている請求項３に記載の眼鏡型電子機器。
【請求項５】
前記フレキシブルプリント基板の一端部は前記第１の導体収納部内に設けられた位置決め固定部材を介してコネクタ部に取り付けられている請求項４に記載の眼鏡型電子機器。 
【発明の詳細な説明】
【技術分野】
【０００１】  本発明は、人体の頭部に装着して人体の特性を検出する眼鏡型電子機器に関するものである。
【背景技術】
【０００２】  従来より、人体の精神活動や体調の状態を示すパラメータとする皮膚電気活動（Electro Dermal Activity）が知られている。  この人体の皮膚電気活動は人体の皮膚の電位を検出し、人体の特性を検出することができる。
【先行技術文献】
【特許文献】
【０００３】
【特許文献１】特開２０１３−２４４３７０
【発明の概要】
【発明が解決しようとする課題】
【０００４】  現在、眼鏡型電子機器において、人体の皮膚、特に鼻の表面の電位（眼電位）を検出し、これらを基に人体の様々な生体情報を得たいという要請がある。その一例として、特許文献１の機器が提案されている。【０００５】  この機器は、眼鏡フレームのノーズパッドの表面に眼電位を検出する一対の電極を設けたものである。また、ブリッジの表面にも眼電位を検出する電極が設けられている。  上記各電極にて検出された眼電位は導体である電線で接続された外付の眼電図処理ユニットに送られ眼電図信号が処理されるようになっている。【０００６】  上記電線は眼鏡フレームの外部に引き回す配線方法が考えられるが、上記電線が外部に露出すると機器の使用時に上記電線に手等が触れ、断線する恐れがある。【０００７】  そこで、上記電線を眼鏡フレーム内に収納することが考えられるが、上記眼鏡フレーム内に設けた電線収納部の電線収納口等から水分や埃等が上記電線収納部内に入り込み、水分や埃等が上記眼鏡フレームの収納される電子部品等に侵入する恐れがある。  また、上記眼鏡フレームは細く、上記眼鏡フレーム内に設ける上記電線収納部のスペースも制限され、上記電線の配線は構造も複雑となり、配線作業も煩雑となる。  また、上記眼鏡フレーム内に電線を配線するに際しても、上記電線と上記眼鏡フレーム内に収納される電子部品等との安定した接続状態を維持することが必要となる。【０００８】  本発明はかかる事情に鑑みてなされたものであり、その目的は眼鏡フレーム内に収納された電子回路部品及び眼鏡フレームに取り付けられた人体特性検出装置への水分や埃等の侵入を防ぐとともに、導体と電子回路部品との安定した接続状態を維持できる眼鏡型電子機器を提供することを目的とする。
【課題を解決するための手段】
【０００９】  上述した問題点を解決し、上述した目的を達成するために、眼鏡フレームのモダン部に電子回路部品が収納されるとともに前記眼鏡フレームのブリッジ部に人体の鼻に接触して眼電位を検出する人体特性検出装置が取付けられた眼鏡型電子機器であって、前記電子回路部品と前記人体特性検出装置は前記眼鏡フレームのテンプル部内に前記モダン部と連なるように設けられた第１の導体収納部に収納されるとともに前記眼鏡フレームのリム部内に前記ブリッジ部と連なるように設けられた第２の導体収納部に前記眼鏡フレームのヒンジ部を介して収納された導体によって電気的に接続され、前記第１の導体収納部内に前記電子回路部品への水分や埃等の侵入を防ぐ第１の防水部材が組み込まれるとともに前記第２の導体収納部内に前記人体特性検出装置への水や埃等の侵入を防ぐ第２の防水部材が組み込まれている。【００１０】  上記構成によれば、前記眼鏡フレームのモダン部に収納された電子回路部品及び前記眼鏡フレームに取り付けられた人体特性検出装置への水分や埃等の侵入を防ぐことができる。【００１１】  好適には、前記第１の防水部材は前記第１の導体収納部における前記導体と前記電子回路部品の接続部の近傍に組み込まれるとともに前記第２の防水部材は前記第２の導体収納部における前記導体と前記人体特性検出装置の接続部の近傍に組み込まれている。  このような構成によれば、前記電子回路部品及び前記人体特性検出装置への水分や埃等の侵入に対する防水機能をさらに高めることができる。【００１２】  好適には、前記導体はフレキシブルプリント基板により構成されている。  このような構成によれば、眼鏡フレームへの導体の配線を容易に行うことができる。【００１３】  好適には、前記フレキシブルプリント基板の一端部はコネクタ部を介して前記電子回路部品に接続されている。  このような構成によれば、フレキシブルプリント基板と電子回路部品との接続を簡単に行うことができる。【００１４】  好適には、前記フレキシブルプリント基板の一端部は前記第１の導体収納部内に設けられた位置決め固定部材を介してコネクタ部に取り付けられている。  このような構成によれば、導体と電子回路部品との安定した接続状態を維持できる
【発明の効果】
【００１５】  本発明によれば、眼鏡フレーム内に収納された電子回路部品及び眼鏡フレームに取り付けられた人体特性検出装置への水分や埃等の侵入を防ぐとともに、導体と電子回路部品との安定した接続状態を維持できる眼鏡型電子機器を提供することができる。
【図面の簡単な説明】
【００１６】
【図１】本発明の実施形態に係る眼鏡型電子機器の背面側から見た外観斜視図である。
【図２】眼鏡型電子機器の左側テンプル部及び右側テンプル部の分解斜視図である。
【図３】眼鏡型電子機器の人体特性検出装置の部分を背面側から見た拡大外観斜視図である。
【図４】眼鏡型電子機器の左側モダン部の近傍の分解拡大斜視図である。
【図５】眼鏡型電子機器の右側モダン部の近傍の分解拡大斜視図である。
【図６】眼鏡型電子機器のフレキシブルプリント基板の配線状態を示す分解拡大斜視図である。
【発明を実施するための形態】
【００１７】  以下、本発明の実施形態に係る眼鏡型電子機器１について、図面を参照し説明する。  図１に示すように、眼鏡型電子機器１はプラステイックからなる眼鏡フレーム２を有している。
【００１８】  眼鏡フレーム２は人体の左耳の部分に掛けられる左側テンプル部３と人体の右耳にかけられ右側テンプル部４を有している。これら各テンプル部３、４は各耳に掛けるための角度が付けられておらず、人体の左側頭部及び右側頭部を包み込むようなストレート形状をなしている。このような各テンプル部３、４を備えた眼鏡フレーム２はホールド感が高い。
【００１９】  また、眼鏡フレーム２はレンズ６０、６０が取り付けられた左側リム部５と右側リム部６を有している。そして、これら各リム部５、６はブリッジ部７を介して連結されている。  ブリッジ部７には後述する眼電位を検出する人体特性装置５０が取り付けられており、人体の鼻の部分に装着されるようになっている。なお、本発明は人体特性検出装置５０が取り付けられていないものにも適用される。
【００２０】  また、左側テンプル部３と左側リム部５との間には左側ヒンジ部８が設けられており、右側テンプル部４と右側リム部６との間には右側ヒンジ部９が設けられている。  各テンプル部３、４は各ヒンジ部８、９を介して各リム部５、６に対して折曲自在に取り付けられている。なお、眼鏡型電子機器１の未使用時には、一般的に眼鏡フレーム２は左側テンプル部３を先に折り畳み、その後に右側テンプル部４を左側テンプル部３の上に重ね合わせるように折り畳まれる。
【００２１】  左側テンプル部３の先端側の左耳にかかる部分は左側傾斜部１０を介して左側モダン部１１が一体的に設けられている。また、右側テンプル部４の先端側の右耳にかかる部分も右側傾斜部１２を介して右側モダン部１３に一体的に設けられている。  これら各モダン部１１、１３は一般的に先セル、耳あて、イヤーパッドと呼ばれている。各テンプル部３、４と各モダン部１１、１３の連結部分は眼鏡型電子機器１の加重がかかる箇所である。
【００２２】  図２に示すように、左側テンプル部３と左側モダン部１１は内側ハーフ１４と外側ハーフ１５に二分割されている。各ハーフ１４、１５は重ね合わせられており、各ハーフ１４、１５間には左側テンプル部３から左側モダン部１１に亘り第１の導体収納部となる細長の左側電子部品収納部１６が形成されている。
【００２３】  また、右側テンプル部４と右側モダン部１３も内側ハーフ１７と外側ハーフ１８に二分割されている。各ハーフ１７、１８は重ね合わせられており、各ハーフ１７、１８間には右側テンプル部４から右側モダン部１３に亘り第１の導体収納部となる細長の右側電子部品収納部１９が形成されている。
【００２４】  各モダン部１１、１３は各傾斜部１０、１２により、各テンプル部３、４より肉厚に形成されている。従って、各モダン部１１、１３内には各テンプル部３、４より、広い収納スペースを確保することができる。
【００２５】  左側電子部品収納部１６において、左側モダン部１１の部分には電子回路部品となる矩形状のバッテリー部２０が収納されている。バッテリー部２０は左側電子部品収納部１６の左側モダン部１１の部分に形成されている収納スペースの全域に亘り組み込まれており、左側モダン部１１内はバッテリー部２０の専用取り付け部となっている。従って、容量の大きなバッテリーを収納することができる。
【００２６】  右側電子部品収納部１９において、右側モダン部１３の部分には電子回路部品となる電気回路部２１が収納されている。この電気回路部２１にはバッテリー部２０の充電回路部２２が搭載されている。また、右側モダン部１３には電源スイッチ部（図示は省略する）が設けられている。
【００２７】  また、電気回路部２１には人体の姿勢を検出するセンサ部２３等の電子部品が搭載されている。このセンサ部２３は加速度センサやジャイロセンサ等からなる。加速度センサは眼鏡型電子機器１に作用する加速度を検出するセンサであり、互いに直交する複数の軸方向（例えば２軸、３軸）における角速度をそれぞれ検出する。また、ジャイロセンサは眼鏡型電子機器１に作用する回転動作を検出するセンサである。なお、本発明はセンサ部として６軸ジャイロセンサを設けたものであってもよく、気圧センサを設けたものであってもよく、センサの種類には限定されない。
【００２８】  センサ部２３により使用者の姿勢や動き、振動等の動作特性を検出するようになっている。センサ部２３により検出された動作特性の信号はBluetooth（登録商標）や無線ＬＡＮ等の無線通信により、スマートフォン等の携帯通信端末に送られる。
【００２９】  図３に示すように、眼鏡フレーム２のブリッジ部７には人体特性検出装置５０が取り付けられている。人体特性検出装置５０は、人体の鼻の表面電位（例えば眼電位）を検出する。この検出により、当該皮膚の温度を基に、人体の眼の疲れ等の様々な情報を得ることができる。
【００３０】  人体特性検出装置５０は、人体の鼻の鼻筋に対して一方の側面側に設けられ鼻の表面に接触する左側鼻電極バッド５１と、左側鼻電極パッド５１が一端に取り付けられた棒状の左側鼻電極部材５２と、人体の鼻の鼻筋に対して他方の側面側に設けられ鼻の表面に接触する右側鼻電極パッド５３と、右側鼻電極パッド５３が一端に取り付けられた棒状の右側鼻電極部材５４を有している。
【００３１】  また、人体特性検出装置５０は人体の鼻の眉間の部分の表面に接触する平板状の眉間電極パッド５５と、眉間電極パッド５５の背面の中央部分に一端に取り付けられた棒状の眉間電極部材５６を有している。
【００３２】  左側鼻電極部材５１、右側鼻電極部材５３、そして眉間電極部材５５は人体特性検出装置５０内に設けられている配線基板５８に電気的に接続されている。
【００３３】  左側鼻電極部材５２は左眼の眼電位を検出し、右側鼻電極部材５４は右眼の眼電位を検出し、眉間電極部材５６は眼電位を検出するようになっている。
【００３４】  左側鼻電極部材５２、右側鼻電極部材５４及び眉間電極部材５６は材質が銅、チタン、ステンレス等によって形成されている。なお、各鼻電極部材５２、５４及び眉間電極部材５６は導電性の材質を有するものであればよい。  各鼻電極パッド５１、５３と眉間電極パッド５５は各パッド自体が銅、チタン、ステンレス等によって形成されていても良く、その表面を銅、チタン等でメッキ処理されているものであっても良い。
【００３５】  各電子部品収納部１６、１９内には導体となる１本のフレキシブルプリント基板２４（以下、ＦＰＣと言う）が収納されている。ＦＰＣ２４により、バッテリー部２０、電気回路部２１及び人体特性検出装置５０の配線基板５８が電気的に接続されるようになっている。
【００３６】  眼鏡型電子機器１の導体の配線にＦＰＣ２４を使用することにより、収納スペースが狭く限定されている眼鏡フレーム２内においても配線を容易に行うことができる。また、ＦＰＣ２４の配線が外部に露出しないのでデザイン性に優れた眼鏡型電子機器を提供することができる。
【００３７】  また、左側電子部品収納部１６は二分割された内側ハーフ１４と外側ハーフ１５間に設けられるともに、右側電子部品収納部１９も二分割された内側ハーフ１７と外側ハーフ１８間に設けられている。従って、ＦＰＣ２４を各収納部１６、１９へ収納するとき、各内外ハーフ１４、１５及び各内外ハーフ１７、１８を開放して行うことができ、ＦＰＣ２４の収納の作業性が良い。
【００３８】  図４に示すように、左側電子部品収納部１６において、左側傾斜部１０の部分には左側コネクタ部２５が収納されており、バッテリー部２０は左側コネクタ部２５を介してＦＰＣの左側端部２４Ａに接続されている。
【００３９】  また、左側電子部品収納部１６内における左側コネクタ部２５の近傍には左側ＦＰＣ位置決め固定部材６１が設けられている。左側ＦＰＣ位置決め固定部材６１は外側ハーフ１５に設けられたリブ６１ＡとＦＰＣ２４の左側端部２４Ａに取り付けた鍔部６１Ｂとから構成されている。  鍔部６１Ｂがリブ部６１Ａに係合することにより、ＦＰＣ２４の左側端部２４Ａの左側コネクタ部２５からの抜けが防止されている。従って、ＦＰＣ２４を左側電子部品収納部１６に収納する時、また左側テンプル部３を折り曲げる時に仮にＦＰＣ２４に張力が加わっても、ＦＰＣ２４とバッテリー部２０との安定した接続状態を維持することができる。
【００４０】  また、左側電子部品収納部１６の左側ヒンジ部８側にはＦＰＣ２４を左側電子部品収納部１６内へ挿入するための左側ＦＰＣ収納口１６Ａが設けられている。  左側電子部品収納部１６において、ＦＰＣ２４とバッテリー部２０の接続部である左側コネクタ部２５の近傍にはバッテリー部２０へ水分や埃等の侵入を防ぐＰＯＲＯＮ（登録商標）等からなる第１の防水部材となる左側防水部材２６が組み込まれている。
【００４１】  左側ＦＰＣ収納口１６Ａから水分や埃等が左側電子部品収納部１６内に入り込んだとしても、水分や埃等は細長い左側電子部品収納部１６の内壁に付着し、水分や埃等はバッテリー部２０までは到達しないと思われる。  仮に、水分や埃等が左側コネクタ部２５の近くまで侵入したとしても、最終的には左側防水部材２６によりバッテリー部２０への侵入を防ぐことができる。
【００４２】  本発明においては、左側防水部材２６により、バッテリー部２０への水や埃等の侵入を防ぐことができれば、左側防水部材２６の左側電子部品収納部１６内での組み込み位置はＦＰＣ２４とバッテリー部２０の接続部分の近傍に限定されず、様々な組み込み位置が考えられる。
【００４３】  また、図５に示すように、右側電子部品収納部１９において、右側傾斜部１２の部分には右側コネクタ部２７が収納されており、電気回路部２１は右側コネクタ部２７を介してＦＰＣの右側端部２４Ｂに接続されている。
【００４４】  また、右側電子部品収納部１９内における右側コネクタ部２７の近傍には右側ＦＰＣ位置決め固定部材６２が設けられている。右側ＦＰＣ位置決め固定部材６２は外側ハーフ１７に設けられたリブ６２ＡとＦＰＣ２４の右側端部２４Ｂに取り付けた鍔部６２Ｂとから構成されている。  鍔部６２Ｂがリブ部６２Ａに係合することにより、ＦＰＣ２４の右側端部２４Ｂの右側コネクタ部２７からの抜けが防止されている。従って、ＦＰＣ２４を右側電子部品収納部１９に収納する時、また右側テンプル部４を折り曲げた時に仮にＦＰＣ２４に張力が加わっても、ＦＰＣ２４と電気回路部２１との安定した接続状態を維持することができる。
【００４５】  また、右側電子部品収納部１９のヒンジ部９側にはＦＰＣ２４を右側電子部品収納部１９内へ挿入するための右側ＦＰＣ収納口１９Ａが設けられている。  右側電子部品収納部１９において、ＦＰＣ２４と電気回路部２１の接続部である右側コネクタ部２７の近傍には電気回路部２１へ水分や埃等の侵入を防ぐＰＯＲＯＮ（登録商標）等からなる第１の防水部材となる右側防水部材２８が組み込まれている。
【００４６】  右側ＦＰＣ収納口１９Ａから水分や埃等が右側電子部品収納部１９内に入り込んだとしても、水分や埃等は細長い右側電子部品収納部１９の内壁に付着し、水分や埃等は電気回路部２１までは到達しないと思われる。  仮に、水分や埃等が右側コネクタ部２７の近くまで侵入したとしても、最終的には右側防水部材２８により電気回路部２１への侵入を防ぐことができる。
【００４７】  本発明においては、右側防水部材２８により、電気回路部２１への水や埃等の侵入を防ぐことができれば、右側防水部材２８の右側電子部品収納部１９内での組み込み位置はＦＰＣ２４と電気回路部２１の接続部分の近傍に限定されず、様々な組み込み位置が考えられる。
【００４８】  本発明においては、ＦＰＣ２４が一本ではなく、複数に分離され、そして連結されたものであってもよく、ＦＰＣはバッテリー部２０、電気回路部２１及び人体特性検出装置５０の配線基板５８が電気的に接続できる機能を備えていれば良い。
【００４９】  眼鏡フレーム２の左側リム部５の上部側は内側ハーフ５Ａと外側ハーフ５Ｂに二分割され、各ハーフ５Ａ、５Ｂ間には第２の導体収納部となるＦＰＣ収納部２９が設けられている。  ＦＰＣ２４の左側は左側ヒンジ部８を介して左側リム部５のＦＰＣ収納部２９から左側電子部品収納部１６に亘り収納されている。
【００５０】  また、眼鏡フレーム２の右側リム部６の上部側も内側ハーフ６Ａと外側ハーフ６Ｂに二分割され、各ハーフ６Ａ、６Ｂ間には第２の導体収納部となるＦＰＣ収納部３１が設けられている。  ＦＰＣ２４の右側は右側ヒンジ部９を介して右側リム部６のＦＰＣ収納部３１から右側電子部品収納部１９に亘り収納されている。
【００５１】  また、ブリッジ部７も内側ハーフ７Ａと外側ハーフ７Ｂに二分割され、各ハーフ７Ａ、７Ｂ間にはＦＰＣ収納部３３が設けられている。  従って、ＦＰＣ２４の左側と右側はブリッジ部７のＦＰＣ収納部３３内で繋がっている状態となっている。
【００５２】  図６に示すように、左側リム部５のＦＰＣ収納部２９は湾曲のスリット形状をなし、ＦＰＣ収納部２９内でＦＰＣ２４は基板面が水平となるように支持されている。従って、眼鏡のリム部のように細い部分でもＦＰＣ２４をリム部内に収納できる。
【００５３】  ＦＰＣ収納部２９に支持されているＦＰＣ２４は左側撓み変形部２４Ｃを有し、ＦＰＣ２４は左側撓み変形部２４Ｃを介して左側ヒンジ部８の入口で略直角に捩じられ、そして、左側電子部品収納部１６内に収納されている。そして、ＦＰＣ２４は左側電子部品収納部１６内でＦＰＣ２４の基板面が垂直となるように支持されている。  左側テンプル部３を折り曲げた時でもＦＰＣ２４に張力が発生するようなことはない。従って、ＦＰＣ２４の断線が生じることはなく、バッテリー部２０との安定した接続状態を維持することができる。
【００５４】  また、左側リム部５のＦＰＣ収納部２９内にはＦＰＣ２４のＦＰＣ収納部２９内での浮きを防止する左側ＦＰＣ位置決め部材３６が左側リム部５の外側ハーフ５Ｂに押し付けられるように取り付けられている。  ＦＰＣ２４が捩られても、左側ＦＰＣ位置決め部材３６により、ＦＰＣ２４はＦＰＣ収納部２９内で基板面が水平となるように支持され、ＦＰＣ２４の安定した組み込み状態を維持できる。
【００５５】  ＦＰＣ２４を左側リム部５内に組み込むとき、ＦＰＣ２４を左側ＦＰＣ位置決め部材３６によりＦＰＣ収納部２９内で仮止めできるので、ＦＰＣ２４に邪魔をされることなく左側リム部５を組み立てることができる。
【００５６】  右側リム部６のＦＰＣ収納部３１は湾曲のスリット形状をなし、ＦＰＣ収納部３１内でＦＰＣ２４は基板面が水平となるように支持されている。従って、眼鏡のリム部のように細い部分でもＦＰＣ２４をリム部内に収納できる。
【００５７】  ＦＰＣ収納部３１に支持されているＦＰＣ２４は右側撓み変形部２４Ｄを有し、ＦＰＣ２４は左側撓み変形部２４Ｄを介して右側ヒンジ部９の入口で略直角に捩られ、そして右側電子部品収納部１９内に収納されている。そして、ＦＰＣ２４は右側電子部品収納部１９内でＦＰＣ２４の基板面が垂直となるように支持されている。  右側テンプル部４を折り曲げた時もＦＰＣ２４に張力が発生するようなことはない。従って、ＦＰＣ２４の断線が生じることはなく、電気回路部２１との安定した接続状態を維持することができる。
【００５８】  また、右側リム部６のＦＰＣ収納部３１内にはＦＰＣ２４のＦＰＣ収納部３１内での浮きを防止する右側ＦＰＣ位置決め部材４２が右側リム部６の外側ハーフ６Ｂに押し付けられるように取り付けられている。  ＦＰＣ２４が捩られても、右側ＦＰＣ位置決め部材４２により、ＦＰＣ２４をＦＰＣ収納部３１内で基板面が水平となるように支持され、ＦＰＣ２４の安定した組み込み状態を維持できる。
【００５９】  ＦＰＣ２４を右側リム部６内に組み込むとき、ＦＰＣ２４を右側ＦＰＣ位置決め部材４２によりＦＰＣ収納部３１内で仮止めできるので、ＦＰＣ２４に邪魔をされることなく右側リム部６を組み立てることができる。
【００６０】  また、各ＦＰＣ収納部２９、３１内に収納されているＦＰＣ２４のブリッジ部７側はそれぞれ基板面が略直角となるように捩られ、人体特性検出装置５０に設けられたＰＯＲＯＮ（登録商標）等からなる第２の防水部材となる中央側防水部材５９に挟み込まれるとともに基板面が垂直となるように、人体特性検出装置５０のケース部５７により、ブリッジ部７の外ハーフ７Ｂの内壁面に押さえ付けられるように取り付けられている。従って、ＦＰＣ２４はブリッジ部７側でも浮きが防止されており、ＦＰＣ２４の安定した支持状態を維持できる。
【００６１】  また、人体特性検出装置５０内のＦＰＣ２４は検出信号を電気回路部２１に送信できるように配線基板５８に電気的に接続されている。
【００６２】  ＦＰＣ収納部２９の左側ヒンジ部８側にはＦＰＣ２４をＦＰＣ収納部２９内へ挿入するためのＦＰＣ収納口２９Ａが設けられている。  ＦＰＣ収納部２９において、ＦＰＣ２４と配線基板５８の接続部の近傍には中央側防水部材５９が組み込まれている。
【００６３】  ＦＰＣ収納口２９Ａから水分や埃等がＦＰＣ収納部２９内に入り込んだとしても、水分や埃等はスリット形状の細長いＦＰＣ収納部２９の内壁に付着し、水分や埃等は配線基板５８までは到達しないと思われる。  仮に、水分や埃等が中央側防水部材５９の近くまで侵入したとしても、最終的には中央側防水部材５９により配線基板５８への流入を防ぐことができる。
【００６４】  本発明においては、人体特性検出装置５０への水や埃等の侵入を防ぐことができれば、ＦＰＣ収納部２９内での防水部材の組み込み位置には限定されず、様々な組み込み位置が考えられる。
【００６５】  また、ＦＰＣ収納部３１の右側ヒンジ部９側にはＦＰＣ２４をＦＰＣ収納部３１内へ挿入するためのＦＰＣ収納口３１Ａが設けられている。  ＦＰＣ収納部３１において、ＦＰＣ２４と配線基板５８の接続部の近傍には中央側防水部材５９が組み込まれている。
【００６６】  ＦＰＣ収納口３１Ａから水分や埃等がＦＰＣ収納部３１内に入り込んだとしても、水分や埃等はスリット形状の細長いＦＰＣ収納部３１の内壁に付着し、水分や埃等は配線基板５８までは到達しないと思われる。  仮に、水分や埃等が中央側防水部材５９の近くまで侵入したとしても、最終的には中央側防水部材５９により配線基板５８への流入を防ぐことができる。
【００６７】  本発明においては、人体特性検出装置５０への水や埃等の侵入を防ぐことができれば、ＦＰＣ収納部３１内での防水部材の組み込み位置には限定されず、様々な組み込み位置が考えられる。
【００６８】  上述した眼鏡型電子機器１によれば、仮に眼鏡フレーム２のＦＰＣ収納口１６Ａ、１９Ａ、２９Ａ、３１Ａから収納部１６、１９、２９、３１内に水分や埃等が入ったとしても、各防水部材２６、２８、５９により電気回路部２１及び人体特性検出装置５０への水分や埃等の侵入を防ぐことができる。
【００６９】  また、ＦＰＣ２４の各端部２４Ａ、２４Ｂは、ＦＰＣ位置決め固定部材６１、６２により、各コネクター部２５、２７との抜けが防止でき、ＦＰＣ２４とバッテリー部２０及び電気回路部２１との安定した接続状態を維持することができる。
【００７０】  本発明は上述した実施形態に限定されない。すなわち、当業者は、本発明の技術的範囲又はその均等の範囲内において、上述した実施形態の構成に関し、様々な変更、コンビネーション、並びに代替を行ってもよい。
【産業上の利用可能性】
【００７１】  本発明の眼鏡型電子機器は人体の頭部に装着し、人体の姿勢を検出するものにも適用され、自動車の運転手の居眠り防止やスポーツ選手のスピードアップ等のデータ収集に使用が可能である。
【符号の説明】
【００７２】１                眼鏡型電子機器２                眼鏡フレーム３                左側テンプル部４                右側テンプル部５                左側リム部６                右側リム部７                ブリッジ部８                左側ヒンジ部９                右側ヒンジ部１１              左側モダン部１３              右側モダン部１６              左側電子部品収納部１６Ａ            左側ＦＰＣ収納口１９              右側電子部品収納部１９Ａ            右側ＦＰＣ収納口２０              バッテリー部２１              電気回路部２４              フレキシブルプリント基板（ＦＰＣ）２４Ａ            左側端部２４Ｂ            右側端部２５              左側コネクタ部２６              左側防水部材２７              右側コネクタ部２８              右側防水部材２９、３１、３３  ＦＰＣ収納部２９Ａ、３１Ａ    ＦＰＣ収納口５０              人体特性検出装置５９              中央側防水部材６１              左側ＦＰＣ位置決め固定部材６２              右側ＦＰＣ位置決め固定部材 
【図１】
2016194849.tif 000003
【図２】
2016194849.tif 000004
【図３】
2016194849.tif 000005
【図４】
2016194849.tif 000006
【図５】
2016194849.tif 000007
【図６】
2016194849.tif 000008
【国際調査報告】
2016194849.tif 000009
2016194849.tif 000010